(57)【要約】 【課題】  操作者を撮影して、誰が操作したかを容易に確認できる通信端末装置を提供する。【解決手段】  ハンドセット１３がオンフック状態からオフフック状態になったことを検出するハンドセット検出部と、情報を記憶する画像記憶部１９および主記憶部２０と、操作者を撮影して画像データを生成する画像撮影部１８と、オンフック状態からオフフック状態になったことが検出されると、操作者を撮影するように画像撮影部１８を制御して、生成された画像データを記憶するように画像記憶部１９および主記憶部２０を制御する制御部２４とを含む。【選択図】      図１
2005045717.tif 000002
【特許請求の範囲】
【請求項１】
通信待機状態から通信開始状態になったことを検出する通信検出手段と、
情報を記憶する記憶手段と、
操作者を撮影して画像データを生成する撮影手段と、
通信待機状態から通信開始状態になったことが検出されると、操作者を撮影するように撮影手段を制御して、生成された画像データを記憶するように記憶手段を制御する制御手段とを含むことを特徴とする通信端末装置。
【請求項２】
操作者の入力操作によって識別番号が入力される入力手段をさらに含み、
前記制御手段は、通信待機状態から通信開始状態になったことが検出されたのち後に入力手段から入力された識別番号と、撮影手段によって撮影されて生成された画像データとを有する発信履歴情報を記憶するように記憶手段を制御することを特徴とする請求項１記載の通信端末装置。
【請求項３】
他の通信端末装置である発信元の識別番号を検出する発信元検出手段とをさらに含み、
制御手段は、他の通信端末装置からの着信があって、通信待機状態から通信開始状態になったことが検出されると、操作者を撮影するように撮影手段を制御して、生成された画像データと、発信元の識別番号とを有する着信履歴情報を記憶するように記憶手段を制御することを特徴とする請求項１または２記載の通信端末装置。
【請求項４】
情報を表示する表示手段をさらに含み、
制御手段は、発信履歴情報または着信履歴情報を表示するように表示手段を制御することを特徴とする請求項２または３記載の通信端末装置。
【請求項５】
操作者の入力操作によって予め定める設定情報を変更する設定変更手段をさらに含み、
制御手段は、設定情報が変更されると、操作者を撮影するように撮影手段を制御し、生成された画像データと、変更された設定情報を表す変更情報とを有する設定変更履歴情報を記憶するように記憶手段を制御することを特徴とする請求項１〜４のいずれかに記載の通信端末装置。
【請求項６】
電子メールを送信するメール送信手段をさらに含み、
制御手段は、電子メールが送信されるときに、操作者を撮影するように撮影手段を制御し、電子メールに撮影手段によって生成される画像データを添付して送信するようにメール送信手段を制御することを特徴とする請求項１〜５のいずれかに記載の通信端末装置。
【請求項７】
請求項２〜６のいずれかに記載の通信端末装置と、前記通信端末装置と通信可能な子機とを含む通信システムであって、
前記子機は、
操作者の入力操作によって識別番号が入力される子機入力手段と、
入力された識別番号を通信端末装置に送信する子機送信手段とを含み、
前記通信端末装置は、
子機からの識別番号を受信する受信手段と、
子機からの識別番号と、記憶手段に記憶されている発信履歴情報の識別番号とが一致するか否かを判定する判定手段とをさらに含み、
制御手段は、子機からの識別番号と、記憶手段に記憶されている発信履歴情報の識別番号とが一致すると判定された場合、記憶手段に記憶されている発信履歴情報の識別番号に対応する画像データと、子機からの識別番号とを含む発信履歴情報をさらに記憶するように記憶手段を制御することを特徴とする通信システム。
【請求項８】
前記子機は、通信端末装置を介して他の通信端末装置と通信可能であり、
前記通信端末装置の発信元検出手段は、前記子機が着信した発信元の識別番号を検出し、
判定手段は、子機が着信した発信元の識別番号と、記憶手段に記憶されている着信履歴情報の識別番号とが一致するか否かを判定し、
制御手段は、子機が着信した発信元の識別番号と、記憶手段に記憶されている着信履歴情報の識別番号とが一致すると判定された場合、記憶手段に記憶されている着信履歴情報の識別番号に対応する画像データと、子機からの識別番号とを含む着信履歴情報をさらに記憶するように記憶手段を制御することを特徴とする請求項７記載の通信システム。
【発明の詳細な説明】
【技術分野】
【０００１】
本発明は、電話装置およびファクシミリ装置などの通信端末装置および通信システムに関する。
【背景技術】
【０００２】
電話装置およびファクシミリ装置には、発信時の電話番号を記憶する発信履歴記憶機能、および着信時に発信側の電話装置の電話番号を日時とともに記憶する着信履歴記憶機能を有するものがある。
【０００３】
第１の従来技術として、スキャナから送信原稿の画像データが入力され、ビデオカメラから操作者の顔の映像データを入力し、スキャナから入力された画像データと、ビデオカメラから入力された映像データとを、それぞれ２値化データの状態で合成し、合成されたデータを送信するファクシミリ装置がある（たとえば特許文献１参照）。
【０００４】
また第２の従来技術として、画像形成装置を操作している操作者が誰であるのかを、操作者が画像形成装置に到達する前に、その操作者を自動認識し、操作者別に予め記憶設定されている複数の出力画面の中から認識された操作者に対応する適切なものを選択し、操作表示画面上に表示させる操作表示用制御装置がある（たとえば特許文献２参照）。
【０００５】
また第３の従来技術として、発着信履歴を作成するときに、通信モードとして音声通信モードが用いられたか、テレビジョン電話通信モードが用いられたかを判定し、この判定した通信モードを電話番号、日付、時刻、名称および操作者の顔映像などの各情報要素に付加して記憶し、発着信履歴を用いて発信を行うときに、上記各情報要素とともに通信モードを表すアイコンを表示する移動通信端末装置がある（たとえば特許文献３参照）。
【０００６】
【特許文献１】特開平４−２４７７６４号公報
【特許文献２】特開平６−７８０９４号公報
【特許文献３】特開２００１−１８６２７９号公報
【発明の開示】
【発明が解決しようとする課題】
【０００７】
複数の操作者が利用する電話装置では、当該電話装置から発信した操作者および前記電話装置の設定を変更した利用者を特定することはできない。操作者に対応する識別番号を入力して、たとえば課金情報などを積算する電話装置もあるけれども、このような操作をする度に、識別番号を入力する必要があり不便である。また、他人の識別番号を盗用して、その本人になりすますことも可能である。
【０００８】
第１の従来技術では、ファクシミリ装置を操作した操作者を、当該ファクシミリ装置において後に特定することができない。
【０００９】
第２の従来技術では、操作者を自動認識させるためには、自動認識するための情報を操作者毎に予め記憶させておかなければならない。
第３の従来技術では、操作者の顔映像を予め撮影して記憶しておかなければならない。
【００１０】
本発明の目的は、操作者を撮影して、誰が操作したかを容易に確認できる通信端末装置および通信システムを提供することである。
【課題を解決するための手段】
【００１１】
本発明は、通信待機状態から通信開始状態になったことを検出する通信検出手段と、
情報を記憶する記憶手段と、
操作者を撮影して画像データを生成する撮影手段と、
通信待機状態から通信開始状態になったことが検出されると、操作者を撮影するように撮影手段を制御して、生成された画像データを記憶するように記憶手段を制御する制御手段とを含むことを特徴とする通信端末装置である。
【００１２】
また本発明は、操作者の入力操作によって識別番号が入力される入力手段をさらに含み、
前記制御手段は、通信待機状態から通信開始状態になったことが検出されたのち後に入力手段から入力された識別番号と、撮影手段によって撮影されて生成された画像データとを有する発信履歴情報を記憶するように記憶手段を制御することを特徴とする。
【００１３】
また本発明は、他の通信端末装置である発信元の識別番号を検出する発信元検出手段とをさらに含み、
制御手段は、他の通信端末装置からの着信があって、通信待機状態から通信開始状態になったことが検出されると、操作者を撮影するように撮影手段を制御して、生成された画像データと、発信元の識別番号とを有する着信履歴情報を記憶するように記憶手段を制御することを特徴とする。
【００１４】
また本発明は、情報を表示する表示手段をさらに含み、
制御手段は、発信履歴情報または着信履歴情報を表示するように表示手段を制御することを特徴とする。
【００１５】
また本発明は、操作者の入力操作によって予め定める設定情報を変更する設定変更手段をさらに含み、
制御手段は、設定情報が変更されると、操作者を撮影するように撮影手段を制御し、生成された画像データと、変更された設定情報を表す変更情報とを有する設定変更履歴情報を記憶するように記憶手段を制御することを特徴とする。
【００１６】
また本発明は、電子メールを送信するメール送信手段をさらに含み、
制御手段は、電子メールが送信されるときに、操作者を撮影するように撮影手段を制御し、電子メールに撮影手段によって生成される画像データを添付して送信するようにメール送信手段を制御することを特徴とする。
【００１７】
また本発明は、前述の通信端末装置と、前記通信端末装置と通信可能な子機とを含む通信システムであって、
前記子機は、
操作者の入力操作によって識別番号が入力される子機入力手段と、
入力された識別番号を通信端末装置に送信する子機送信手段とを含み、
前記通信端末装置は、
子機からの識別番号を受信する受信手段と、
子機からの識別番号と、記憶手段に記憶されている発信履歴情報の識別番号とが一致するか否かを判定する判定手段とをさらに含み、
制御手段は、子機からの識別番号と、記憶手段に記憶されている発信履歴情報の識別番号とが一致すると判定された場合、記憶手段に記憶されている発信履歴情報の識別番号に対応する画像データと、子機からの識別番号とを含む発信履歴情報をさらに記憶するように記憶手段を制御することを特徴とする通信システムである。
【００１８】
また本発明は、前記子機は、通信端末装置を介して他の通信端末装置と通信可能であり、
前記通信端末装置の発信元検出手段は、前記子機が着信した発信元の識別番号を検出し、
判定手段は、子機が着信した発信元の識別番号と、記憶手段に記憶されている着信履歴情報の識別番号とが一致するか否かを判定し、
制御手段は、子機が着信した発信元の識別番号と、記憶手段に記憶されている着信履歴情報の識別番号とが一致すると判定された場合、記憶手段に記憶されている着信履歴情報の識別番号に対応する画像データと、子機からの識別番号とを含む着信履歴情報をさらに記憶するように記憶手段を制御することを特徴とする。
【発明の効果】
【００１９】
本発明によれば、通信検出手段によって通信待機状態から通信開始状態になったことが検出されると、撮影手段によって操作者を撮影されて、生成された画像データが記憶手段に記憶される。これによって通信端末装置を操作した操作者の画像データが記憶されるので、たとえば表示させることによって容易に操作した操作者を確認することができる。
【００２０】
また本発明によれば、通信待機状態から通信開始状態になったことが検出されたのち後に入力手段から入力された識別番号と、撮影手段によって撮影されて生成された画像データとを有する発信履歴情報が記憶手段に記憶される。これによって操作者と、操作者が入力した識別番号とを関連付けして記憶させることができる。
【００２１】
また本発明によれば、他の通信端末装置からの着信があって、通信待機状態から通信開始状態になったことが検出されると、撮影手段によって操作者が撮影され、生成された画像データと、発信元の識別番号とを有する着信履歴情報が記憶手段に記憶される。これによって操作者と、発信元の識別番号とを関連付けして記憶させることができる。
【００２２】
また本発明によれば、表示手段には、発信履歴情報または着信履歴情報が表示されるので、操作者は、操作者の画像データと入力された識別情報とが関連付けされる発信履歴情報、または操作者の画像データと発信元の識別番号とが関連付けされる着信履歴情報を容易に確認することができる。
【００２３】
また本発明によれば、設定情報が変更されると、撮影手段によって操作者が撮影され、生成された画像データと、変更された設定情報を表す変更情報とを有する設定変更履歴情報が記憶手段に記憶される。これによって設定情報を変更した操作者を容易に確認することができる。
【００２４】
また本発明によれば、電子メールが送信されるときに、撮影手段によって操作者が撮影され、電子メールには撮影手段によって生成される画像データが添付されて送信されるので、電子メールを受取った人は、送信した操作者を容易に確認することができる。
【００２５】
また本発明によれば、操作者の入力操作によって子機入力手段に入力された識別番号が、子機送信手段によって通信端末装置に送信される。通信端末装置の受信手段によって子機からの識別番号が受信され、判定手段によって、子機からの識別番号と、記憶手段に記憶されている発信履歴情報の識別番号とが一致するか否か判定される。子機からの識別番号と、記憶手段に記憶されている発信履歴情報の識別番号とが一致すると判定された場合、記憶手段に記憶されている発信履歴情報の識別番号に対応する画像データと、子機からの識別番号とを含む発信履歴情報が、さらに記憶手段に記憶される。これによって子機を操作した操作者と、操作者が入力した識別番号とを関連付けして記憶させることができる。
【００２６】
また本発明によれば、通信端末装置の発信元検出手段によって前記子機が着信した発信元の識別番号が検出され、判定手段によって、子機が着信した発信元の識別番号と、記憶手段に記憶されている着信履歴情報の識別番号とが一致するか否か判定される。子機が着信した発信元の識別番号と、記憶手段に記憶されている着信履歴情報の識別番号とが一致すると判定された場合、記憶手段に記憶されている着信履歴情報の識別番号に対応する画像データと、子機からの識別番号とを含む着信履歴情報が記憶手段にさらに記憶される。これによって操作者と、発信元の識別番号とを関連付けして記憶させることができる。
【発明を実施するための最良の形態】
【００２７】
図１は、本発明の実施の一形態の電話システム１の構成を示すブロック図である。図２は、電話装置１０を示す平面図である。電話システム１は、通信端末装置である電話装置１０と、前記電話装置１０と通信可能な子機３０とを含んで構成される。電話装置１０は、ダイヤルボタン１１、操作ボタン１２、ハンドセット１３、ハンドセット検出部１４、マイクロホン１５、スピーカ１６、タイマー１７、画像撮影部１８、画像記憶部１９、主記憶部２０、網制御部２１、無線制御部２２、表示部２３および制御部２４を含んで構成される。
【００２８】
入力手段および設定変更手段であるダイヤルボタン１１は、操作者の入力操作によって、識別番号である電話番号が入力される。設定変更手段である操作ボタン１２は、操作者の入力操作によって、設定情報が入力される。ハンドセット１３は、受話器および送話器を含んで構成され、音声の入出力を行う。通信検出手段であるハンドセット検出部１４は、ハンドセット１３がオンフック状態であるかオフフック状態であるか、換言すれば通信待機状態であるか通信開始状態であるかを検出する。マイクロホン１５は、操作者の音声を入力する。スピーカ１６は、呼出音などの音声を出力する。タイマー１７は、時間を測定する。撮影手段である画像撮影部１８は、たとえばＣＣＤカメラなどで実現され、操作者を撮影し、画像データを生成する。記憶手段である画像記憶部１９は、画像撮影部１８によって生成された画像データを記憶する。記憶手段である主記憶部２０は、後述する発信履歴情報、着信履歴情報および設定情報などの各種情報を記憶する。発信元検出手段でありメール送信手段でもある網制御部２１は、電話装置１０と公衆回線網との接続を制御する。受信手段である無線制御部２２は、子機３０との無線通信を制御する。表示手段である表示部２３は、画像記憶部１９に記憶されている画像データおよび主記憶部２０に記憶されている各種情報を表示する。判定手段および制御手段である制御部２４は、たとえばＣＰＵで実現され、電話装置１０を統括的に制御する。
【００２９】
子機３０は、電話装置１０と通信可能であり、図示しない子機入力手段であるダイヤルボタン、受話器、送話器、子機送信手段である子機無線制御部および子機制御部を含んで構成される。ダイヤルボタンは、操作者の入力操作によって、電話番号が入力される。受話器は音声を出力し、送話器は音声を入力する。子機無線制御部は、電話装置１０との無線通信を制御する。子機制御部は、子機３０を統括的に制御する。
【００３０】
図３は、電話装置１０から発信するときの手順を示すフローチャートである。ステップａ０で手順が開始されて、ステップａ１に進む。
【００３１】
ステップａ１では、操作者がハンドセット１３を持ち上げて、ハンドセット検出部１４が、ハンドセット１３がオンフック状態からオフフック状態になったと検出して、ステップａ２に進む。
【００３２】
ステップａ２では、制御部２４は、ハンドセット１３がオンフック状態からオフフック状態になったと検出された時を計時開始時刻として、計時するようにタイマー１７を制御して、ステップａ３に進む。
【００３３】
ステップａ３では、操作者はダイヤルボタン１１を入力操作して、電話番号を入力して、ステップａ４に進む。
【００３４】
ステップａ４では、制御部２４は、タイマー１７に基づいて、前記計時開始時刻から１５秒経過したか否かを判断し、経過したと判断するとステップａ５に進み、経過していないと判断するとステップａ３に戻る。アナログ電話回線における交換機は、発信先の電話装置の電話番号を確定するために、最後のダイヤルを受信してから１５秒よりも長い時間が経過すると電話番号を確定して、当該電話番号の電話装置に接続するように制御するので、ここでは計時開始時刻からの経過時間を１５秒としている。またＩＳＤＮなどのデジタル電話回線のターミナルアダプタ（略称：ＴＡ）の場合、ダイヤルの最終桁に「＃」を付加することによって、タイマー１７による計時無しに発信するようにしてもよい。
【００３５】
ステップａ４において計時開始時刻から１５秒経過したと判断されてステップａ５に進むと、ステップａ５では、制御部２４は、画像撮影部１８を制御して、操作者の顔を撮影し、生成された画像データのファイル名と、入力された電話番号と、発信した端末と、発信日時とを有する表１に示す発信履歴情報を主記憶部２０に記憶し、前記画像データを画像記憶部１９に記憶して、ステップａ６に進み、全ての手順を終了する。
【００３６】
【表１】
2005045717.tif 000003
【００３７】
図４は、電話装置１０に着信するときの手順を示すフローチャートである。ステップｂ０で手順が開始されて、ステップｂ１に進む。
【００３８】
ステップｂ１では、網制御部２１が着信があったことを検出して、ステップｂ２に進む。
【００３９】
ステップｂ２では、操作者がハンドセット１３を持ち上げて、ハンドセット検出部１４が、ハンドセット１３がオンフック状態からオフフック状態になったと検出して、ステップｂ３に進む。
【００４０】
ステップｂ３では、制御部２４は、画像撮影部１８を制御して、操作者の顔を撮影し、生成された画像データのファイル名と、網制御部２１によって検出された発信側の電話番号と、着信した端末と、着信日時とを有する表２に示す着信履歴情報を主記憶部２０に記憶し、前記画像データを画像記憶部１９に記憶して、ステップｂ４に進み、全ての手順を終了する。
【００４１】
【表２】
2005045717.tif 000004
【００４２】
図５は、子機３０から発信するときの手順を示すフローチャートである。ステップｃ０で手順が開始されて、ステップｃ１に進む。
【００４３】
ステップｃ１では、操作者が子機３０のオフフックボタンを押圧して、電話装置１０の無線制御部２２が、子機３０がオンフック状態からオフフック状態になったと検出して、ステップｃ２に進む。
【００４４】
ステップｃ２では、電話装置１０の制御部２４は、子機３０がオンフック状態からオフフック状態になったと検出された時を計時開始時刻として、計時するようにタイマー１７を制御して、ステップｃ３に進む。
【００４５】
ステップｃ３では、操作者は子機３０のダイヤルボタンを入力操作して、電話番号を入力して、ステップｃ４に進む。
【００４６】
ステップｃ４では、制御部２４は、タイマー１７に基づいて、前記計時開始時刻から１５秒経過したか否かを判断し、経過したと判断するとステップｃ５に進み、経過していないと判断するとステップｃ３に戻る。
【００４７】
ステップｃ５では、制御部２４は、子機３０のダイヤルボタンから入力された電話番号が、主記憶部２０に記憶されている発信履歴情報の電話番号に一致するか否かを判断し、一致するものが有ると判断するとステップｃ６に進み、一致するものが無いと判断するとステップｃ７に進み全ての手順を終了する。
【００４８】
ステップｃ５において子機３０のダイヤルボタンから入力された電話番号が、主記憶部２０に記憶されている発信履歴情報の電話番号に一致すると判断されてステップｃ６に進むと、ステップｃ６では、制御部２４は、一致する電話番号に対応する画像データのファイル名と、入力された電話番号と、発信した端末と、発信日時とを有する表３に示す発信履歴情報を主記憶部２０に記憶して、ステップｃ７に進み、全ての手順を終了する。
【００４９】
【表３】
2005045717.tif 000005
【００５０】
図６は、電話装置１０を介して子機で着信するときの手順を示すフローチャートである。ステップｄ０で手順が開始されて、ステップｄ１に進む。
【００５１】
ステップｄ１では、網制御部２１が着信があったことを検出して、ステップｄ２に進む。
【００５２】
ステップｄ２では、操作者が子機３０のオフフックボタンを押圧して、電話装置１０の無線制御部２２が、子機３０がオンフック状態からオフフック状態になったと検出して、ステップｄ３に進む。
【００５３】
ステップｄ３では、制御部２４は、網制御部２１によって検出された発信側の電話番号が、主記憶部２０に記憶されている着信履歴情報の電話番号に一致するか否かを判断し、一致するものが有ると判断するとステップｄ４に進み、一致するものが無いと判断するとステップｄ５に進み全ての手順を終了する。
【００５４】
ステップｄ３において網制御部２１によって検出された発信側の電話番号が、主記憶部２０に記憶されている着信履歴情報の電話番号に一致すると判断されてステップｄ４に進むと、ステップｄ４では、制御部２４は、一致する電話番号に対応する画像データのファイル名と、網制御部２１によって検出された発信側の電話番号と、着信した端末と、着信日時とを有する表４に示す着信履歴情報を主記憶部２０に記憶して、ステップｄ５に進み、全ての手順を終了する。
【００５５】
【表４】
2005045717.tif 000006
【００５６】
図７は、電話装置１０において設定情報を変更するときの手順を示すフローチャートである。ステップｅ０で手順が開始されて、ステップｅ１に進む。
【００５７】
ステップｅ１では、操作者が電話装置１０の操作ボタン１２を入力操作して、設定情報を変更入力して、ステップｅ２に進む。
【００５８】
ステップｅ２では、制御部２４は、設定情報を変更して、ステップｅ３に進む。
【００５９】
ステップｅ３では、制御部２４は、画像撮影部１８を制御して、操作者の顔を撮影し、生成された画像データのファイル名と、設定変更内容と、設定変更日時とを有する表５に示す設定変更履歴情報を主記憶部２０に記憶し、前記画像データを画像記憶部１９に記憶して、ステップｅ４に進み、全ての手順を終了する。
【００６０】
【表５】
2005045717.tif 000007
【００６１】
図８は、電子メールを送信するときの手順を示すフローチャートである。ステップｆ０で手順が開始されて、ステップｆ１に進む。
【００６２】
ステップｆ１では、操作者は、ダイヤルボタン１１および操作ボタン１２を入力操作して、電子メールを作成して、ステップｆ２に進む。
【００６３】
ステップｆ２では、操作者は、操作ボタン１２に設けられる電子メール送信ボタンを押圧して、ステップｆ３に進む。
【００６４】
ステップｆ３では、制御部ｆ３は、画像撮影部１８を制御して、操作者の顔を撮影し、生成された画像データを作成された電子メールに添付して送信するように、網制御部２１を制御して、ステップｆ４に進み、全ての手順を終了する。
【００６５】
図９は、図８のフローチャートにおけるステップｆ３で送信される電子メールの一例を示す図である。図９に示すように、図８のフローチャートにおけるステップｆ２で作成された文章５１に、ステップｆ４で撮影された操作者の顔の画像データ５２が添付されている。
【００６６】
以上のように本実施の形態の電話システム１によれば、電話装置１０を操作した操作者の画像データが記憶されるので、表示部２３表示させることによって容易に操作した操作者を確認することができる。
【００６７】
また本実施の形態の電話システム１によれば、操作者と、操作者が入力した識別番号とを関連付けして記憶させることができ、このように関連付けされた発信履歴情報を表示部２３に表示させることができる。
【００６８】
また本実施の形態の電話システム１によれば、操作者と、発信元の識別番号とを関連付けして記憶させることができ、このように関連付けされた着信履歴情報を表示部２３に表示させることができる。
【００６９】
また本実施の形態の電話システム１によれば、設定情報を変更した操作者を容易に確認することができる。
【００７０】
また本実施の形態の電話システム１によれば、電子メールには撮影されて生成される画像データが添付されて送信されるので、電子メールを受取った人は、送信した操作者を容易に確認することができる。
【００７１】
また本実施の形態の電話システム１によれば、子機を操作した操作者と、操作者が入力した識別番号とを関連付けして記憶させることができ、このように関連付けされた発信履歴情報を表示部２３に表示させることができる。
【００７２】
また本実施の形態の電話システム１によれば、操作者と、発信元の識別番号とを関連付けして記憶させることができ、このように関連付けされた着信履歴情報を表示部２３に表示させることができる。
【図面の簡単な説明】
【００７３】
【図１】本発明の実施の一形態の電話システム１の構成を示すブロック図である。
【図２】電話装置１０を示す平面図である。
【図３】電話装置１０から発信するときの手順を示すフローチャートである。
【図４】電話装置１０に着信するときの手順を示すフローチャートである。
【図５】子機３０から発信するときの手順を示すフローチャートである。
【図６】電話装置１０を介して子機で着信するときの手順を示すフローチャートである。
【図７】電話装置１０において設定情報を変更するときの手順を示すフローチャートである。
【図８】電子メールを送信するときの手順を示すフローチャートである。
【図９】図８のフローチャートにおけるステップｆ３で送信される電子メールの一例を示す図である。
【符号の説明】
【００７４】
１  電話システム
１０  電話装置
１１  ダイヤルボタン
１２  操作ボタン
１４  ハンドセット検出部
１８  画像撮影部
１９  画像記憶部
２０  主記憶部
２１  網制御部
２２  無線制御部
２３  表示部
２４  制御部
３０  子機
【図１】
2005045717.tif 000008
【図２】
2005045717.tif 000009
【図３】
2005045717.tif 000010
【図４】
2005045717.tif 000011
【図５】
2005045717.tif 000012
【図６】
2005045717.tif 000013
【図７】
2005045717.tif 000014
【図８】
2005045717.tif 000015
【図９】
2005045717.tif 000016